(57)【要約】【課題】蛍光体を用いても、簡便な蛍光体ホイール構造とし、高画質な映像光を出力可能な照明装置を提供する。【解決手段】励起光を出射する第１光源と、回動可能に設けられ、前記第１光源からの励起光によって励起させて光を発光させる蛍光体が全周にわたって配された蛍光体ホイールと、第１色成分光を出射する第２光源と、回動可能に設けられ、前記第２光源からの出射光と前記蛍光体ホイールにより発光した光とが入射する波長選択性ホイールと、前記第１光源及び前記第２光源の出射を制御すると共に前記蛍光体ホイール及び前記波長選択性ホイールの回動を制御する制御部とを備える。【選択図】図１
2014240912.tif 000002
【特許請求の範囲】
【請求項１】
励起光を出射する第１光源と、
回動可能に設けられ、前記第１光源からの励起光によって励起させて光を発光させる蛍光体が全周にわたって配された蛍光体ホイールと、
第１色成分光を出射する第２光源と、
回動可能に設けられ、前記第２光源からの出射光と前記蛍光体ホイールにより発光した光とが入射する波長選択性ホイールと、
前記第１光源及び前記第２光源の出射を制御すると共に前記蛍光体ホイール及び前記波長選択性ホイールの回動を制御する制御部と、
を備えることを特徴とする照明装置。
【請求項２】
請求項１記載の照明装置において、
前記蛍光体は、第２色成分光と第３色成分光とを含む光を発光することを特徴とする照明装置。
【請求項３】
請求項２記載の照明装置において、
前記波長選択性ホイールは、第１色成分光と第２色成分光とを透過する第１領域と、第１成分光と第３成分光とを透過する第２領域とを有することを特徴とする照明装置。
【請求項４】
請求項１記載の照明装置において、
前記蛍光体は、第２色成分光と第３色成分光とを含む光を発光する第１領域と、第２色成分光を発光する第２領域とを有することを特徴とする照明装置。
【請求項５】
請求項１記載の照明装置において、
前記波長選択性ホイールは、少なくとも第１色成分光は全周にわたって透過することを特徴とする照明装置。
【請求項６】
請求項１記載の照明装置において、
前記励起光の波長は、前記第１色成分光の波長よりも短いことを特徴とする照明装置。
【請求項７】
照明装置と、光変調素子と、前記光変調素子から射出された画像をスクリーンに投写する投写光学系と、を備え、前記照明装置が、請求項１から請求項６のいずれか１項に記載の照明装置であることを特徴とする映像表示装置。
【発明の詳細な説明】
【技術分野】
【０００１】
本開示は、光源として蛍光体を用いた照明装置に関するものであり、特に、単板式の映像表示装置に用いる照明装置に関する。
【背景技術】
【０００２】
従来、このプロジェクタにおいて、高輝度の高圧水銀ランプが光源として多く使用されてきた。高圧水銀ランプは、光源の寿命が短くメンテナンスが煩雑になる問題があり、高圧水銀ランプの代わりに発光ダイオード（ＬＥＤ）やレーザなどの固体光源を映像表示装置の光源として用いることが提案されている。
【０００３】
レーザ光源は、高圧水銀ランプに比べて寿命が長く、また、指向性が高いために光利用効率も高い。さらに、その単色性により広い色再現範囲を実現できる。しかしながら、レーザ光はその干渉性の高さゆえに、スペックルノイズが生じて画質が劣化するという問題点がある。
【０００４】
ＬＥＤ光源は、スペックルノイズは生じないが、光源の発光面積が大きいことや、緑色ＬＥＤの発光効率が低いことなどの理由により、高輝度の映像表示装置に用いる照明装置を実現することが難しいという問題がある。
【０００５】
これらの問題を解決するために、レーザを励起光として蛍光体を発光させ、映像表示装置に用いる光源装置が提案されている（例えば、特許文献１）。
【先行技術文献】
【特許文献】
【０００６】
【特許文献１】特開２０１１−０１３３１３号公報
【発明の概要】
【発明が解決しようとする課題】
【０００７】
単板式のプロジェクタにおいて、レーザを励起光として蛍光体を発光させる場合、蛍光体ホイール上に複数色の蛍光体領域を形成して、赤色光、緑色光、青色光の照明光を得る方法、あるいは、波長選択性ホイール（カラーホイール）を併用して当該照明光を得る方法がある。
しかしながら、赤色光、緑色光、青色光の発光期間については、蛍光体ホイール上の蛍光体領域の角度、および、波長選択性ホイールの各波長選択領域の角度で決定されるため、各色光の発光期間を可変にできなかった。そのため、入力信号に応じて、最適な映像光を出力することが困難であった。
また、青色レーザを励起光として用いると共に、青色照明光としても用いる場合は、蛍光体ホイール上に蛍光体未塗布領域を設けるため、蛍光体ホイール構造が煩雑になったり、蛍光体ホイールの重量バランスが不均一となり蛍光体ホイールを駆動するモータのバランシングが難しくなり、騒音が大きくなる、などの課題があった。
【０００８】
本開示は、上述の実情に鑑みて提案されるものであって、蛍光体を用いても、簡便な蛍光体ホイール構造とし、高画質な映像光を出力可能にする照明装置を提供することを目的とする。
【課題を解決するための手段】
【０００９】
上記課題を解決するために、本開示に係る照明装置は、励起光を出射する第１光源と、回動可能に設けられ、前記第１光源からの励起光によって励起させて光を発光させる蛍光体が全周にわたって配された蛍光体ホイールと、第１色成分光を出射する第２光源と、回動可能に設けられ、前記第２光源からの出射光と前記蛍光体ホイールにより発光した光とが入射する波長選択性ホイールと、前記第１光源及び前記第２光源の出射を制御すると共に前記蛍光体ホイール及び前記波長選択性ホイールの回動を制御する制御部とを備えることを要旨とする。
【発明の効果】
【００１０】
本開示に係る映像表示装置は、レーザなどの固体光源と蛍光体とを用いて、高画質な映像光を提供するのに有効である。
【図面の簡単な説明】
【００１１】
【図１】本開示の第１実施形態に係るプロジェクタ１００の構成図である。
【図２】本開示の第１実施形態に係る蛍光体ホイール５０の構成図である。
【図３】本開示の第１実施形態に係る波長選択性ホイール６０の構成図である。
【図４】本開示の第１実施形態に係るプロジェクタ１００における、第１光源の点灯パターン、第２光源の点灯パターン、波長選択性ホイール出射光の色成分のタイミングを示す説明図である。
【図５】本開示の第２実施形態に係るプロジェクタ１００Ａの構成図である。
【図６】本開示の第２実施形態に係る蛍光体ホイール５０Ａの構成図である。
【図７】本開示の第２実施形態に係る波長選択性ホイール６０Ａの構成図である。
【発明を実施するための形態】
【００１２】
以下では、本開示にかかる実施の形態について、図面を参照しつつ説明を行う。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、出願人は、当業者が本開示を十分に理解するために添付図面および以下の説明を提供するのであって、これらによって特許請求の範囲に記載の主題を限定することを意図するものではない。
【００１３】
以下の実施形態では、映像表示装置の一例としてプロジェクタを挙げて説明するが、映像表示装置は、例えばテレビなどであってもよい。
（第１実施形態）
（本実施形態の概要）
本実施形態は、映像信号に応じて光を変調する１つの光変調素子（例えばＤＭＤ８６）を有する映像表示装置（例えば、プロジェクタ１００）に用いる照明装置１０であって、
レーザ光を出射する第１光源（例えば、半導体レーザ２０）と、レーザ光を出射する第２光源（例えば、半導体レーザ３０）と、蛍光を出射する蛍光体（例えば、蛍光体ホイール５０）と、蛍光成分の一部を除去するフィルター（例えば、波長選択性ホイール６０）とを有するものである。
【００１４】
（プロジェクタの構成）
図１は、プロジェクタ１００の構成図である。
【００１５】
図１において、プロジェクタ１００は、照明装置１０と、映像生成部８０と、映像生成部８０によって生成された映像光を、図示しないスクリーンへ投写する投写レンズ８８とを有する。
【００１６】
蛍光体を励起するための第１光源として、波長約４５０ｎｍの青色光を出力する半導体レーザ２０を使用し、５×５のマトリクス状に配置した。レンズ２２は、半導体レーザ２０から広がり角をもって出射した光を平行な光束に集光する機能を有している。
【００１７】
レンズ２２より出射された光は、レンズ２４によってさらに集光されながら重畳される。レンズ２４によって集光された光は、ダイクロイックミラー４０に入射する前に、拡散板２６とレンズ２８を透過する。拡散板２６は、半導体レーザ２０からの光の干渉性を低減させる機能を有し、レンズ２８は、レンズ２４によって集光された光を、再び平行な光束に戻す機能を有している。
【００１８】
ダイクロイックミラー４０は、カットオフ波長を約４９０ｎｍに設定した色合成素子であり、上記カットオフ波長より短波長成分は高反射、長波長成分は高透過の特性を有する。
従って、レンズ２８によって平行光化された光は、ダイクロイックミラー４０によって反射され、蛍光体ホイール５０へ照射される。
【００１９】
蛍光体ホイール５０の蛍光体領域５１０の面積を小さくするため、また、エタンデュを小さくして光利用効率を向上させるため、蛍光体ホイール５０に照射される光は、レンズ４２、４４によって集光させている。本実施形態において、蛍光体ホイール５０に照射される励起光の直径は、約１．５ｍｍである。
【００２０】
図２は、蛍光体ホイール５０の構成図であり、図２（Ａ）は図１と同じ向きの図、図２（Ｂ）は図２（Ａ）を右から見た側面図である。
【００２１】
蛍光体ホイール５０は、モータ５０２と、アルミ基板５０４と、波長約４５０ｎｍの光によって主波長が５７０ｎｍの黄色の光を発光する蛍光体が塗布された蛍光体領域５１０とを有する。蛍光体領域５１０は、アルミ基板５０４の全周にわたって蛍光体が塗布されている。蛍光体ホイール５０は、映像信号の１フレーム（例えば、１／６０秒）の整数倍（例えば、１／１８０秒）の周期で、モータ５０２が、図示しない制御部によって回転制御される。回転する蛍光体ホイール５０の蛍光体領域５１０に常に励起光が照射されるように、励起光の照射位置が調整されている。
【００２２】
図１に戻り、蛍光体ホイール５０の蛍光体領域５１０に照射された励起光は、黄色光に変換されて蛍光体ホイール５０から反射され、レンズ４４、４２によって平行光化されて、ダイクロイックミラー４０に戻り、ダイクロイックミラー４０を透過する。
【００２３】
一方、第２光源としては、波長約４６０ｎｍの青色光を出力する半導体レーザ３０を使用し、５×５のマトリクス状に配置した。レンズ３２は、半導体レーザ３０から広がり角をもって出射した光を平行な光束に集光する機能を有している。
【００２４】
レンズ３２より出射された光は、レンズ３４によって集光されながら、重畳される。レンズ３４によって集光された光は、ダイクロイックミラー４０に入射する前に、拡散板３６とレンズ３８を透過する。拡散板３６は、半導体レーザ３０からの光の干渉性を低減させる機能を有し、レンズ３８は、レンズ３４によって集光された光を、再び平行な光束に戻す機能を有している。レンズ３８によって平行光化された光は、ダイクロイックミラー４０によって反射される。
ダイクロイックミラー４０によって合成された青色光と黄色光は、レンズ４６によって集光され、ロッドインテグレータ４８へ入射する。
【００２５】
ロッドインテグレータ４８から出射された青色光と黄色光は、波長選択性ホイール６０に入射する。
【００２６】
図３は、波長選択性ホイール６０の構成図であり、図３（Ａ）は図１と同じ向きの図、図３（Ｂ）は図３（Ａ）を左から見た側面図である。
【００２７】
波長選択領域６１０は、青色および赤色にて高透過、緑色にて高反射であるダイクロイックフィルター基板により構成され、カットオフ波長は４９０ｎｍ、および、６００ｎｍである。そのため、波長選択領域６１０に黄色光が入射した場合、緑色成分が除去され、赤色光が、波長選択性ホイール６０から出射される。
【００２８】
波長選択領域６１２は、青色および緑色にて高透過、赤色にて高反射であるダイクロイックフィルター基板により構成され、カットオフ波長は６００ｎｍである。波長選択領域６１２に黄色光が入射した場合、赤色成分が除去され、緑色光が出射される。
【００２９】
波長選択領域６１４は、可視全域にわたって高透過であるガラス基板により構成され、波長選択領域６１４に黄色光が入射した場合、波長成分が除去されることなく黄色光が出射される。
【００３０】
全ての波長選択領域６１０、６１２、６１４において、青色光は高透過の特性を有しているため、半導体レーザ３０から出射された青色光は波長成分が除去されることなく波長選択性ホイール６０を透過する。
【００３１】
波長選択性ホイール６０はモータ６０２に取り付けられ、図示されない制御部によって、蛍光体ホイール５０と同じ回転数にて同期制御される。
【００３２】
半導体レーザ２０の点灯タイミング、半導体レーザ３０の点灯タイミング、蛍光体ホイール５０の回転タイミング、波長選択性ホイール６０の回転タイミングは、図示されない制御部によって同期制御されている。
【００３３】
図４は、第１光源である半導体レーザ２０の点灯パターン（Ａ−１、Ｂ−１）、第２光源である半導体レーザ３０の点灯パターン（Ａ−２、Ｂ−２）、波長選択性ホイール６０からの出射光の色成分（Ａ−３、Ｂ−３）のタイミングを示す説明図である。期間ｔ１〜ｔ６が、ちょうど波長選択性ホイール６０の１回転の期間に対応している。
図４（Ａ）は、照明光としての画質を重視した場合の点灯パターンおよび色成分、図４（Ｂ）は、照明光としての明るさを重視した場合の点灯パターンおよび色成分の具体例を示している。
【００３４】
図４（Ａ）において、期間ｔ１〜ｔ２が、波長選択性ホイール６０における波長選択領域６１０を光が通過する期間に対応している。同様に、ｔ２〜ｔ３が、波長選択性ホイール６０における波長選択領域６１２を光が通過する期間に対応しており、ｔ３〜ｔ５が、波長選択性ホイール６０における波長選択領域６１４を光が通過する期間に対応している。
【００３５】
半導体レーザ２０は、期間ｔ１〜ｔ４において点灯する。一方、半導体レーザ３０は、期間ｔ３〜ｔ５において点灯する。半導体レーザ２０と半導体レーザ３０の点灯パターンは異なっており、期間ｔ３〜ｔ４のみ、同時に点灯している。
【００３６】
このように半導体レーザ２０、３０の点灯タイミングを制御することによって、赤色光出射領域９００である期間ｔ１〜ｔ２では赤色光、緑色光出射領域９０２である期間ｔ２〜ｔ３では緑色光、白色光出射領域９０４である期間ｔ３〜ｔ４では白色光、青色光出射領域９０６である期間ｔ４〜ｔ５では青色光を出射することができる。
図４（Ｂ）では、期間ｔ１〜ｔ３が、波長選択性ホイール６０における波長選択領域６１０を光が通過する期間に対応している。同様に、ｔ３〜ｔ５が、波長選択性ホイール６０における波長選択領域６１２を光が通過する期間に対応しており、ｔ５〜ｔ６が、波長選択性ホイール６０における波長選択領域６１４を光が通過する期間に対応している。
【００３７】
半導体レーザ２０は、期間ｔ２〜ｔ６において点灯する。一方、半導体レーザ３０は、期間ｔ１〜ｔ２およびｔ４〜ｔ６において点灯する。半導体レーザ２０と半導体レーザ３０の点灯パターンは異なっており、期間ｔ４〜ｔ６において、同時に点灯している。
【００３８】
このように半導体レーザ２０、３０の点灯タイミングを制御することによって、青色光出射領域９０６である期間ｔ１〜ｔ２では青色光、赤色光出射領域９００である期間ｔ２〜ｔ３では赤色光、緑色光出射領域９０２である期間ｔ３〜ｔ４では緑色光、シアン色光出射領域９０８である期間ｔ４〜ｔ５ではシアン色光、白色光出射領域９０４である期間ｔ５〜ｔ６では白色光を出射することができる。
図４（Ａ）、（Ｂ）に違いを示したように、半導体レーザ２０、３０の点灯パターンを変化させることにより、照明光の特性を変化させることができる。本実施形態においては、図４（Ａ）は、半導体レーザ２０、３０が同時に点灯する期間が短く、画質を重視した白色照明光である。一方、図４（Ａ）は、半導体レーザ２０、３０が同時に点灯する期間を長く確保しており、相対的に、明るさを重視した白色照明光である。
波長選択性ホイール６０を出射した光は、レンズ７０、７２を通過した後で、照明装置１０からの出力光として取り出され、映像生成部８０に入射する。
【００３９】
映像生成部８０は、レンズ８２と、全反射プリズム８４と、１枚のＤＭＤ８６を有する。レンズ８２は、照明装置１０からの出力光をＤＭＤ８６に結像させる機能を有している。レンズ８２を介して全反射プリズム８４に入射した光は、面８４ａによって反射され、ＤＭＤ８６へ導かれる。ＤＭＤ８６は、図示しない制御部によって、それぞれに入射する各色光のタイミングに合わせ、かつ、入力される映像信号に応じて、制御される。ＤＭＤ８６によって変調された光は、全反射プリズム８４を透過して投写レンズ８８へ導かれる。投写レンズ８８は、時間的に合成された映像光を図示しないスクリーンへ投写する。
（本実施形態の作用効果）
本実施形態では、青色レーザ光と、黄色蛍光からの波長選択後の光との合成によって、白色照明光を形成している。
蛍光体を励起するための半導体レーザと、青色光としての半導体レーザを独立に設けることによって、映像モードや、入力信号レベルに応じて、それぞれの半導体レーザの発光パターンを独立に制御することができるため、目的に応じた色度特性を有する照明光を出力することが可能である。
【００４０】
また、蛍光体励起用には、効率が高い短波長の青色レーザを用いる一方、照明光用には、視感度が高い長波長の青色レーザを使うことで、高効率の照明装置を実現することができる。
【００４１】
加えて、蛍光体ホイール５０の蛍光体領域は３６０度全周にわたって形成されているため、簡便な蛍光体ホイール構造とすることができる。
（第２実施形態）
（本実施形態の概要）
本実施形態は、映像信号に応じて光を変調する１つの光変調素子（例えばＤＭＤ８６）を有する映像表示装置（例えば、プロジェクタ１００Ａ）に用いる照明装置１０Ａであって、
レーザ光を出射する第１光源（例えば、半導体レーザ２０）と、レーザ光を出射する第２光源（例えば、半導体レーザ３０）と、蛍光を出射する蛍光体（例えば、蛍光体ホイール５０Ａ）と、蛍光成分の一部を除去するフィルター（例えば、波長選択性ホイール６０Ａ）とを有するものである。
【００４２】
（プロジェクタの構成）
本実施形態におけるプロジェクタの構成は、第１実施形態と同様に、図５に示す通りであり、照明装置１０Ａと、映像生成部８０と、映像生成部８０によって生成された映像光を、図示しないスクリーンへ投写する投写レンズ８８とを有する。
以下では、第１実施形態との相違点である、蛍光体ホイール５０Ａと波長選択性ホイール６０Ａを中心に説明する。その他の構成要素は、第１実施形態と同一である。
【００４３】
図６は、蛍光体ホイール５０Ａの構成図であり、図６（Ａ）は図１と同じ向きの図、図６（Ｂ）は図６（Ａ）を右から見た側面図である。
【００４４】
蛍光体ホイール５０Ａは、モータ５０２と、アルミ基板５０４と、アルミ基板５０４上に形成された蛍光体領域５１０および５１２により構成されている。
【００４５】
蛍光体領域５１０は、主波長が５７０ｎｍの黄色光を発光する蛍光体が塗布されており、蛍光体領域５１２は、主波長が５５０ｎｍの緑色光を発光する蛍光体が塗布されている。蛍光体ホイール５０Ａは、映像信号の１フレーム（例えば、１／６０秒）の整数倍（例えば、１／１８０秒）の周期で、モータ５０２を図示しない制御部によって回転制御される。回転する蛍光体ホイール５０Ａの蛍光体領域５１０あるいは５１２に常に励起光が照射されるように、励起光照射位置が調整されている。
【００４６】
図７は、波長選択性ホイール６０Ａの構成図であり、図７（Ａ）は図１と同じ向きの図、図７（Ｂ）は図７（Ａ）を左から見た側面図である。
【００４７】
波長選択領域６１０は、青色および赤色にて高透過、緑色にて高反射であるダイクロイックフィルター基板により構成され、カットオフ波長は４９０ｎｍ、および、６００ｎｍである。そのため、波長選択領域６１０に黄色光が入射した場合、緑色成分が除去され、赤色光が出射される。
【００４８】
波長選択領域６１４は、可視全域にわたって高透過であるガラス基板により構成される。波長選択領域６１０、６１４において、青色光は高透過の特性を有している。蛍光体ホイール５０Ａはモータ６０２に取り付けられ、図示されない制御部によって、蛍光体ホイール５０Ａと同じ回転数にて同期制御される。
【００４９】
半導体レーザ２０の点灯タイミング、半導体レーザ３０の点灯タイミング、蛍光体ホイール５０Ａの回転タイミング、波長選択性ホイール６０Ａの回転タイミングは、図示されない制御部によって制御されており、半導体レーザ２０、３０の点灯パターンは、第１実施形態と同様に、図４に示す通りである。
【００５０】
図４（Ａ）において、蛍光体ホイール５０Ａは、期間ｔ１〜ｔ２および、期間ｔ３〜ｔ５が、蛍光体領域５１０に励起光が照射される期間に対応している。同様に、期間ｔ２〜ｔ３が、蛍光体領域５１２に励起光が照射される期間に対応している。
【００５１】
図４（Ａ）において、波長選択性ホイール６０Ａは、期間ｔ１〜ｔ２が、波長選択領域６１０を光が通過する期間に対応している。同様に、期間ｔ２〜ｔ５が、波長選択領域６１４を光が通過する期間に対応している。
【００５２】
このように半導体レーザ２０、３０の点灯タイミングとホイールの回転タイミングを制御することによって、赤色光出射領域９００である期間ｔ１〜ｔ２では赤色光、緑色光出射領域９０２である期間ｔ２〜ｔ３では緑色光、白色光出射領域９０４である期間ｔ３〜ｔ４では白色光、青色光出射領域９０６である期間ｔ４〜ｔ５では青色光を出射することができる。
同様に、本実施形態では、図４（Ｂ）において、蛍光体ホイール５０Ａは、期間ｔ１〜ｔ３および、期間ｔ５〜ｔ６が、蛍光体領域５１０に励起光が照射される期間に対応している。同様に、期間ｔ３〜ｔ５が、蛍光体領域５１２に励起光が照射される期間に対応している。
波長選択性ホイール６０Ａは、期間ｔ１〜ｔ３が、波長選択領域６１０を光が通過する期間に対応している。同様に、期間ｔ３〜ｔ６が、波長選択領域６１４を光が通過する期間に対応している。
【００５３】
このように半導体レーザ２０、３０の点灯タイミングとホイールの回転タイミングを制御することによって、青色光出射領域９０６である期間ｔ１〜ｔ２では青色光、赤色光出射領域９００である期間ｔ２〜ｔ３では赤色光、緑色光出射領域９０２である期間ｔ３〜ｔ４では緑色光、シアン色光出射領域９０８である期間ｔ４〜ｔ５ではシアン色光、白色光出射領域９０４である期間ｔ５〜ｔ６では白色光を出射することができる。
（本実施形態の作用効果）
本実施形態では、青色レーザ光と、黄色蛍光および緑色蛍光からの波長選択による光との合成によって、白色照明光を合成している。
緑色光およびシアン光の形成において、黄色蛍光体ではなく緑色蛍光体を使用していることから、黄色蛍光体を使う第１実施形態に比べて、より高効率の照明装置を実現することができる。
（その他の形態）
上記の実施の形態では、黄色蛍光体および緑色蛍光体を用いた構成について述べたが、赤色蛍光体やシアン色蛍光体を適用することも可能である。蛍光体材料についても、例えば、本実施形態では、黄色蛍光体としてＹ３Ａｌ５Ｏ１２：Ｃｅ３＋を使用し、緑色蛍光体としてＬｕ３Ａｌ５Ｏ１２：Ｃｅ３＋を使用したが、これらセリウム付活ガーネット構造蛍光体以外に、 (Ｂａ，Ｓｒ)２ＳｉＯ４：Ｅｕ２＋、ＳｒＳｉ２Ｏ２Ｎ２：Ｅｕ２＋、Ｂａ３Ｓｉ６Ｏ１２Ｎ２：Ｅｕ２＋、Ｓｒ３Ａｌ３Ｓｉ１３Ｎ２３：Ｅｕ２＋、β−ＳｉＡｌＯＮ：Ｅｕ２＋など多くの例が挙げられ、蛍光体材料は特に限定されるものではない。
【００５４】
蛍光体ホイールの各蛍光体領域の蛍光色の種類、分割角度、色光の順序についても、特に限定されるものではなく、目的の照明光特性に応じて、適宜、設定することが出来る。
【００５５】
同様に、波長選択性ホイールの波長選択特性、分割角度、色光の順序についても、特に制限されるものではない。
【００５６】
また、５×５のマトリクス状に配置された半導体レーザを用いて説明したが、半導体レーザの数および配置はこれに限定されるものではなく、１つの半導体レーザの光強度や、照明装置に所望される出力などに応じて適宜設定すればよい。蛍光体を励起する光の波長もまた、４５０ｎｍに限定されるものではなく、例えば、４０５ｎｍの光を出力する紫色半導体レーザや、４００ｎｍ以下の紫外線半導体レーザなどを適用することも可能である。また、蛍光体の励起光として、ＬＥＤ光を使用することも可能である。
【００５７】
以上のように、添付図面および詳細な説明によって、出願人がベストモードと考える実施形態とその他の形態とを提供した。これらは、特定の実施形態を参照することにより、当業者に対して、特許請求の範囲に記載の主題を例証するために提供されるものである。したがって、特許請求の範囲またはその均等の範囲において、上述の実施の形態に対して、種々の変更、置き換え、付加、省略などを行うことができる。
【産業上の利用可能性】
【００５８】
本開示は、蛍光体からの蛍光によって照明光を形成する映像表示装置に適用可能である。具体的には、プロジェクタのほか、テレビなどに本開示は適用可能である。
【符号の説明】
【００５９】
１０、１０Ａ…照明装置
２０、３０…半導体レーザ
２２、２４、２８、３２、３４、３８、４２、４４、４６、７０、７２…レンズ
２６、３６…拡散板
４０…ダイクロイックミラー
４８…ロッドインテグレータ
５０、５０Ａ…蛍光体ホイール
６０，６０Ａ…波長選択性ホイール
８０…映像生成部
８２…レンズ
８４…全反射プリズム（８４ａ…面）
８６…ＤＭＤ
８８…投写レンズ
１００，１００Ａ…プロジェクタ
５０２、６０２…モータ
５０４…アルミ基板
５１０、５１２…蛍光体領域
６１０、６１２、６１４…波長選択領域
９００…赤色光出射領域
９０２…緑色光出射領域
９０４…白色光出射領域
９０６…青色光出射領域
９０８…シアン色光出射領域
【図１】
2014240912.tif 000003
【図２】
2014240912.tif 000004
【図３】
2014240912.tif 000005
【図４】
2014240912.tif 000006
【図５】
2014240912.tif 000007
【図６】
2014240912.tif 000008
【図７】
2014240912.tif 000009